(57)【要約】      （修正有）【課題】１個のＣＰＵで構成しても回線の保護を図ることができる回線分離形２系列送電線保護リレーを提供する。【解決手段】第１のＡ系送電線保護リレー１０1Aと第１のＡ系送電線保護リレー１０1Aのフェールセーフ用の第１のＢ系送電線保護リレー１０1Bとが１個のＣＰＵで構成された第１の２系列送電線保護リレー１０1は、第１のＢ系送電線保護リレー１０1Bが、第２回線２Ｌに設置されたかつ第２のＡ系送電線保護リレー１０2Aと第２のＡ系送電線保護リレー１０2Aのフェールセーフ用の第２のＢ系送電線保護リレー１０2Bとが１個のＣＰＵで構成された第２の２系列送電線保護リレー１０2が使用できなくなった場合に第２回線２Ｌの保護用として機能するための隣回線保護手段として機能する切替回路、表示回路、トリップ回路、電圧回路および電流回路を備える。【選択図】図１
2012257420.tif 000002
【特許請求の範囲】
【請求項１】
Ａ系送電線保護リレー（１０1A）と該Ａ系送電線保護リレーのフェールセーフ用のＢ系送電線保護リレー（１０1B）とが１個の中央処理装置で構成された回線分離形２系列送電線保護リレー（１０1）であって、
前記Ｂ系送電線保護リレーが、隣回線（２Ｌ）に設置されたかつ他のＡ系送電線保護リレー（１０2A）と該他のＡ系送電線保護リレーのフェールセーフ用の他のＢ系送電線保護リレー（１０2B）とが１個の他の中央処理装置で構成された他の回線分離形２系列送電線保護リレー（１０2）が使用できなくなった場合に該隣回線の保護用として機能するための隣回線保護手段を備える、
ことを特徴とする、回線分離形２系列送電線保護リレー。
【請求項２】
前記隣回線保護手段が、前記Ｂ系送電線保護リレーを前記Ａ系送電線保護リレーのフェールセーフ用または前記隣回線の保護用に切り替えるための切替回路（２０）を備え、
前記切替回路が、
平常時は、前記Ｂ系送電線保護リレーを前記Ａ系送電線保護リレーのフェールセーフ用として動作させるように切り替え、
前記他の回線分離形２系列送電線保護リレーの使用不可時には、該他の回線分離形２系列送電線保護リレーの代わりに前記Ｂ系送電線保護リレーを前記隣回線の保護用として動作させるように切り替える、
ことを特徴とする、請求項１記載の回線分離形２系列送電線保護リレー。
【請求項３】
前記隣回線保護手段が、前記回線分離形２系列送電線保護リレーが設置された自回線の表示用接点である自回線表示用接点（３１ａ，３１ｂ，３１ｃ，３１ｄ，３１ｅ）および前記他の回線分離形２系列送電線保護リレーが設置された前記隣回線の表示用接点である隣回線表示用接点（３２ａ，３２ｂ，３２ｃ，３２ｄ，３２ｅ）を有する表示回路（３０）を備え、
前記表示回路が、
平常時には前記自回線表示用接点が動作し、一方、前記他の回線分離形２系列送電線保護リレーの使用不可時には前記隣回線表示用接点が動作するように、前記切替回路によって切り替えられる、
ことを特徴とする、請求項２記載の回線分離形２系列送電線保護リレー。
【請求項４】
前記隣回線保護手段が、トリップ回路部およびシールイン回路部を有するトリップ回路（４０）を備え、
前記トリップ回路部が、前記回線分離形２系列送電線保護リレーの前記中央処理装置からの動作指令に応じて、
平常時には前記自回線に設置された遮断器（４1）を遮断し、一方、前記他の回線分離形２系列送電線保護リレーの使用不可時には前記隣回線に設置された他の遮断器（４2）を遮断するように、前記切替回路によって切り替えられ、
前記シールイン回路部が、前記回線分離形２系列送電線保護リレーの前記中央処理装置からの動作指令に応じて、
平常時には前記遮断器のパレットスイッチを閉じるように動作し、一方、前記他の回線分離形２系列送電線保護リレーの使用不可時には、前記他の遮断器の他のパレットスイッチを閉じるように、前記切替回路によって切り替えられる、
ことを特徴とする、請求項３記載の回線分離形２系列送電線保護リレー。
【請求項５】
前記隣回線保護手段が、電圧回路（５０）および電流回路（７０）を備え、
前記電圧回路が、
平常時には前記自回線が接続された母線（１，２）の母線電圧（Ｖ1L）が前記Ｂ系送電線保護リレーの電圧入力変換器（５２）に入力され、一方、前記他の回線分離形２系列送電線保護リレーの使用不可時には前記隣回線が接続された他の母線の母線電圧（Ｖ2L）が前記Ｂ系送電線保護リレーの前記電圧入力変換器に入力されるように、前記切替回路によって切り替えられ、
前記電流回路が、
平常時には前記自回線を流れる電流（Ｉ1L）が前記Ｂ系送電線保護リレーの電流入力変換器（７２）に入力され、一方、前記他の回線分離形２系列送電線保護リレーの使用不可時には前記隣回線を流れる他の電流（Ｉ2L）が前記Ｂ系送電線保護リレーの前記電流入力変換器に入力されるように、電流切替用ターミナル（７３，８３）にプラグ（９０）を挿入するかしないかにより切り替えられる、
ことを特徴とする、請求項４記載の回線分離形２系列送電線保護リレー。
【発明の詳細な説明】
【技術分野】
【０００１】
本発明は、回線分離形２系列送電線保護リレーに関し、特に、回線分離形２系列送電線保護リレーを構成するＡ系送電線保護リレーおよびＢ系送電線保護リレーを１個の中央処理装置（ＣＰＵ）で構成するのに好適な回線分離形２系列送電線保護リレーに関する。
【背景技術】
【０００２】
従来、図８（ａ）に示すように、第１または第２母線１，２からラインスイッチ３を介して分岐された第１および第２回線１Ｌ，２Ｌを保護するための第１および第２の２系列送電線保護リレー１００1，１００2（主保護リレーおよび後備保護リレーを一体化したディジタルリレー）は、回線ごとに独立した形態（すなわち、回線分離形）で構成されている。
また、信頼性の向上のため、第１の２系列送電線保護リレー１００1は１ＬＡ系の第１のＡ系送電線保護リレー１００1Aおよび１ＬＢ系の第１のＢ系送電線保護リレー１００1B（第１のＡ系送電線保護リレー１００1Aのフェールセーフ用）の２系列で構成されており、同様に、第２の２系列送電線保護リレー１００2は２ＬＡ系の第２のＡ系送電線保護リレー１００2Aおよび２ＬＢ系の第２のＢ系送電線保護リレー１００2B（第２のＡ系送電線保護リレー１００2Aのフェールセーフ用）の２系列で構成されている。
【０００３】
このような回線分離形２系列送電線保護リレーでは第１のＡ系送電線保護リレー１００1A、第１のＢ系送電線保護リレー１００1B、第２のＡ系送電線保護リレー１００2Aおよび第２のＢ系送電線保護リレー１００2Bはそれぞれ１個のＣＰＵを用いて構成されていることから、ＣＰＵの数を減らしてコスト低減を図るために、図８（ｂ）に示すように、第１のＡ系送電線保護リレー１００1Aおよび第２のＡ系送電線保護リレー１００2Aを１個のＣＰＵで構成したＡ系送電線保護リレー１１０A（第１回線１Ｌ用の主保護リレーおよび後備保護リレーを一体化するとともに第２回線２Ｌ用の主保護リレーおよび後備保護リレーを一体化したディジタルリレー）と第１のＢ系送電線保護リレー１００1Bおよび第２のＢ系送電線保護リレー１００2Bを１個のＣＰＵで構成したＢ系送電線保護リレー１１０B（Ａ系送電線保護リレー１１０Aとフェールセーフ用）とを用いて第１および第２回線１Ｌ，２Ｌ保護用の２系列送電線保護リレーを構成することもなされている（たとえば、下記の特許文献１参照）。
【０００４】
なお、下記の特許文献２には、平行２回線の送電線保護に際し１台のディジタルリレーの不良時に回線停止することのないように、自回線電流と自回線電圧と隣回線電流を入力量とし、自回線距離保護リレー機能と自回線回線選択保護リレー機能と隣回線回線選択保護リレー機能を有するディジタルリレーを、各回線に１台ずつ備えた２回線送電線保護継電装置において、常時は、各ディジタルリレーの自回線距離保護リレー機能と自回線回線選択保護リレー機能により各回線単位で自回線保護を行い、一方のディジタルリレーの不良時または機能停止時には、他方のディジタルリレーの隣回線回線選択保護リレー機能により両回線保護を実施するようにした送電線保護継電装置が開示されている。
【先行技術文献】
【特許文献】
【０００５】
【特許文献１】特開平９−２８４９８０号公報
【特許文献２】特開平５−１４６０５２号公報
【発明の概要】
【発明が解決しようとする課題】
【０００６】
しかしながら、図８（ｂ）に示した２系列送電線保護リレーは、完全２系列であるため、たとえばＡ系送電線保護リレー１１０Aが故障により停止してもＢ系送電線保護リレー１１０Bで第１および第２回線１Ｌ，２Ｌを継続して保護することが可能であり、通常運用状態でのメリットが十分にある構成であるが、１個のＣＰＵで第１および第２回線１Ｌ，２Ｌの主保護および後備保護の機能を備えているとともに試験／平常切替スイッチ（４３ＴＬ）などは第１および第２回線１Ｌ，２Ｌで共用されている構造となっているため、第１および第２回線１Ｌ，２Ｌの関係が蜜となっている。
そのため、たとえば第１回線１Ｌの作業のために２系列送電線保護リレーを停止する場合に第２回線２Ｌ（健全回線）に与える影響（保護面やミストリップなど）を常に考慮する必要があり、作業時における注意点などがあるため、この構成のリレー盤での作業を行う場合は事前の作業方法や停止方法の検討を十分に行う必要があり、運用面の制約など日常保守する上では苦慮する点があるという問題があった。
【０００７】
また、図８（ａ）に示した回線分離形方式においてＣＰＵの数を減らすために第１の２系列送電線保護リレー１００1（第１のＡ系およびＢ系送電線保護リレー１００1A，１００1B）を１個のＣＰＵで構成するとともに第２の２系列送電線保護リレー１００2（第２のＡ系およびＢ系送電線保護リレー１００2A，１００2B）を１個のＣＰＵで構成しようとすると、たとえば第１の２系列送電線保護リレー１００1のＣＰＵが故障した場合には、第１のＡ系およびＢ系送電線保護リレー１００1A，１００1Bが両方とも動作しなくなるため、第１回線１Ｌの保護ができなくなるという問題があった。
【０００８】
本発明の目的は、１個のＣＰＵで構成しても回線の保護を図ることができる回線分離形２系列送電線保護リレーを提供することにある。
【課題を解決するための手段】
【０００９】
本発明の回線分離形２系列送電線保護リレーは、Ａ系送電線保護リレー（１０1A）と該Ａ系送電線保護リレーのフェールセーフ用のＢ系送電線保護リレー（１０1B）とが１個の中央処理装置で構成された回線分離形２系列送電線保護リレー（１０1）であって、前記Ｂ系送電線保護リレーが、隣回線（２Ｌ）に設置されたかつ他のＡ系送電線保護リレー（１０2A）と該他のＡ系送電線保護リレーのフェールセーフ用の他のＢ系送電線保護リレー（１０2B）とが１個の他の中央処理装置で構成された他の回線分離形２系列送電線保護リレー（１０2）が使用できなくなった場合に該隣回線の保護用として機能するための隣回線保護手段を備えることを特徴とする。
ここで、前記隣回線保護手段が、前記Ｂ系送電線保護リレーを前記Ａ系送電線保護リレーのフェールセーフ用または前記隣回線の保護用に切り替えるための切替回路（２０）を備え、前記切替回路が、平常時は、前記Ｂ系送電線保護リレーを前記Ａ系送電線保護リレーのフェールセーフ用として動作させるように切り替え、前記他の回線分離形２系列送電線保護リレーの使用不可時には、該他の回線分離形２系列送電線保護リレーの代わりに前記Ｂ系送電線保護リレーを前記隣回線の保護用として動作させるように切り替えてもよい。
前記隣回線保護手段が、前記回線分離形２系列送電線保護リレーが設置された自回線の表示用接点である自回線表示用接点（３１ａ，３１ｂ，３１ｃ，３１ｄ，３１ｅ）および前記他の回線分離形２系列送電線保護リレーが設置された前記隣回線の表示用接点である隣回線表示用接点（３２ａ，３２ｂ，３２ｃ，３２ｄ，３２ｅ）を有する表示回路（３０）を備え、前記表示回路が、平常時には前記自回線表示用接点が動作し、一方、前記他の回線分離形２系列送電線保護リレーの使用不可時には前記隣回線表示用接点が動作するように、前記切替回路によって切り替えられてもよい。
前記隣回線保護手段が、トリップ回路部およびシールイン回路部を有するトリップ回路（４０）を備え、前記トリップ回路部が、前記回線分離形２系列送電線保護リレーの前記中央処理装置からの動作指令に応じて、平常時には前記自回線に設置された遮断器（４1）を遮断し、一方、前記他の回線分離形２系列送電線保護リレーの使用不可時には前記隣回線に設置された他の遮断器（４2）を遮断するように、前記切替回路によって切り替えられ、前記シールイン回路部が、前記回線分離形２系列送電線保護リレーの前記中央処理装置からの動作指令に応じて、平常時には前記遮断器のパレットスイッチを閉じるように動作し、一方、前記他の回線分離形２系列送電線保護リレーの使用不可時には、前記他の遮断器の他のパレットスイッチを閉じるように、前記切替回路によって切り替えられてもよい。
前記隣回線保護手段が、電圧回路（５０）および電流回路（７０）を備え、前記電圧回路が、平常時には前記自回線が接続された母線（１，２）の母線電圧（Ｖ1L）が前記Ｂ系送電線保護リレーの電圧入力変換器（５２）に入力され、一方、前記他の回線分離形２系列送電線保護リレーの使用不可時には前記隣回線が接続された他の母線の母線電圧（Ｖ2L）が前記Ｂ系送電線保護リレーの前記電圧入力変換器に入力されるように、前記切替回路によって切り替えられ、前記電流回路が、平常時には前記自回線を流れる電流（Ｉ1L）が前記Ｂ系送電線保護リレーの電流入力変換器（７２）に入力され、一方、前記他の回線分離形２系列送電線保護リレーの使用不可時には前記隣回線を流れる他の電流（Ｉ2L）が前記Ｂ系送電線保護リレーの前記電流入力変換器に入力されるように、電流切替用ターミナル（７３，８３）にプラグ（９０）を挿入するかしないかにより切り替えられる切り替えられてもよい。
【発明の効果】
【００１０】
本発明の回線分離形２系列送電線保護リレーは、以下に示す効果を奏する。
（１）隣回線に設置された他の回線分離形２系列送電線保護リレーが使用できなくなった場合に隣回線の保護用として機能するための隣回線保護手段をＢ系送電線保護リレーが備えることにより、Ａ系送電線保護リレーで自回線を保護するとともにＢ系送電線保護リレーで隣回線を保護することができる。
（２）回線分離形であるため、作業時の健全回線に及ぼす影響を考慮せずに安全に作業できるようになるなど、運用面での制約事項を改善することが可能となる。
【図面の簡単な説明】
【００１１】
【図１】本発明の一実施例による回線分離形２系列送電線保護リレーについて説明するための図である。
【図２】図１に示した第１のＢ系送電線保護リレー１０1Bが備える切替回路２０について説明するための図である。
【図３】図１に示した第１のＢ系送電線保護リレー１０1Bが備える表示回路３０について説明するための図である。
【図４】図１に示した第１のＢ系送電線保護リレー１０1Bが備えるトリップ回路４０について説明するための図である。
【図５】図１に示した第１および第２の２系列送電線保護リレー１０1，１０2がそれぞれ備える１Ｌ系および２Ｌ系電圧回路５０，６０について説明するための図である。
【図６】図１に示した第１および第２の２系列送電線保護リレー１０1，１０2がそれぞれ備える１Ｌ系および２Ｌ系電流回路７０，８０について説明するための図である。
【図７】図６（ａ）に示した１Ｌ系電流切替用ターミナル７３に挿入される８極プラグ９０について説明するための図である。
【図８】従来の第１および第２回線１Ｌ，２Ｌ保護用の送電線保護リレー方式について説明するための図である。
【発明を実施するための形態】
【００１２】
上記の目的を、隣回線に設置された他の回線分離形２系列送電線保護リレーが使用できなくなった場合に隣回線の保護用として機能するための隣回線保護手段をＢ系送電線保護リレーに備えさせることにより実現した。
【実施例１】
【００１３】
以下、本発明の回線分離形２系列送電線保護リレーの実施例について図面を参照して説明する。
本発明の一実施例による回線分離形２系列送電線保護リレーである第１の２系列送電線保護リレー１０1（主保護リレーおよび後備保護リレーを一体化したディジタルリレー）は第１回線１Ｌに設置される。また、第１の２系列送電線保護リレー１０1を構成する第１のＡ系送電線保護リレー１０1Aおよび第１のＢ系送電線保護リレー１０1B（第１のＡ系送電線保護リレー１０1Aのフェールセーフ用）は、図１に示すように、１個のＣＰＵで構成されている。
同様に、本実施例による回線分離形２系列送電線保護リレーである第２の２系列送電線保護リレー１０2（共に主保護リレーおよび後備保護リレーを一体化したディジタルリレー）は第２回線２Ｌに設置される。また、第２の２系列送電線保護リレー１０2を構成する第２のＡ系送電線保護リレー１０2Aおよび第２のＢ系送電線保護リレー１０2B（第２のＡ系送電線保護リレー１０2Aのフェールセーフ用）は、図１に示すように、１個のＣＰＵで構成されている。
【００１４】
また、第１のＢ系送電線保護リレー１０1Bは、ＣＰＵの故障などにより第２の２系列送電線保護リレー１０2が使用できなくなった場合に第２回線２Ｌの保護用として機能するための隣回線保護手段を備え、同様に、第２のＢ系送電線保護リレー１０2Bは、ＣＰＵの故障などにより第１の２系列送電線保護リレー１０1が使用できなくなった場合に第１回線１Ｌの保護用として機能するための隣回線保護手段を備える。
【００１５】
そのため、第１および第２のＢ系送電線保護リレー１０1B，１０2Bは、表示回路とトリップ回路と交流回路（電圧回路および電流回路）とを接続変更する必要が生じるため、簡易に配電盤でのスイッチ操作およびプラグ操作により容易に保護回線を切り替えられる構成とされている。
【００１６】
具体的には、第１のＢ系送電線保護リレー１０1Bは、以下に説明する切替回路２０、表示回路３０、トリップ回路４０、電圧回路および電流回路を隣回線保護手段として備える。
【００１７】
（１）切替回路２０
切替回路２０は、平常時は第１のＢ系送電線保護リレー１０1Bを第１のＡ系送電線保護リレー１０1Aのフェールセーフ用として動作させ、第２の２系列送電線保護リレー１０2の使用不可時には第１のＢ系送電線保護リレー１０1Bを第２の２系列送電線保護リレー１０2の代わりに第２回線２Ｌの保護用として動作させるように、第１のＢ系送電線保護リレー１０1Bの動作モードを切り替るためのものである。
【００１８】
そのため、切替回路２０は、図２（ａ）に示すように、１Ｌ側および２Ｌ側トリップ回路切替用接点２１T1，２１T2と１Ｌ側および２Ｌ側シールイン回路切替用接点２１S1，２１S2と１Ｌ側および２Ｌ側表示回路切替用接点２１D1，２１D2と１Ｌ側および２Ｌ側電圧回路切替用接点２１V1，２１V2と電圧回路切替用キープリレー２２とを備えた捻回式スイッチから構成されている。
【００１９】
ここで、１Ｌ側および２Ｌ側トリップ回路切替用接点２１T1，２１T2と１Ｌ側および２Ｌ側シールイン回路切替用接点２１S1，２１S2と１Ｌ側および２Ｌ側表示回路切替用接点２１D1，２１D2と１Ｌ側および２Ｌ側電圧回路切替用接点２１V1，２１V2とは連動しており、捻回式スイッチを１Ｌ側に回すと、図２（ａ）に示すように１Ｌ側トリップ回路切替用接点２１T1、１Ｌ側シールイン回路切替用接点２１S1、１Ｌ側表示回路切替用接点２１D1および１Ｌ側電圧回路切替用接点２１V1が閉じるとともに２Ｌ側トリップ回路切替用接点２１T2、２Ｌ側シールイン回路切替用接点２１S2、２Ｌ側表示回路切替用接点２１D2および２Ｌ側電圧回路切替用接点２１V2が開き、一方、捻回式スイッチを２Ｌ側に回すと、図２（ｂ）に示すように２Ｌ側トリップ回路切替用接点２１T2、２Ｌ側シールイン回路切替用接点２１S2、２Ｌ側表示回路切替用接点２１D2および２Ｌ側電圧回路切替用接点２１V2が閉じるとともに１Ｌ側トリップ回路切替用接点２１T1、１Ｌ側シールイン回路切替用接点２１S1、１Ｌ側表示回路切替用接点２１D1および１Ｌ側電圧回路切替用接点２１V1が開くようにされている。
【００２０】
また、電圧回路の切替は、電圧回路切替用キープリレー２２で１Ｌ側および２Ｌ側電圧回路切替用接点２１V1，２１V2を受けて行うようにされている。
すなわち、捻回式スイッチを１Ｌ側に回すと、図２（ａ）に示すように１Ｌ側電圧回路切替用接点２１V1が閉じるとともに２Ｌ側電圧回路切替用接点２１V2が開くことにより１Ｌ側キープリレーに電流が流れて電圧回路切替用キープリレー２２内のスイッチが２Ｌ側キープリレー側に倒れ、一方、捻回式スイッチを２Ｌ側に回すと、図２（ｂ）に示すように２Ｌ側電圧回路切替用接点２１V2が閉じるとともに１Ｌ側電圧回路切替用接点２１V1が開くことにより２Ｌ側キープリレーに電流が流れて電圧回路切替用キープリレー２２内のスイッチが１Ｌ側キープリレー側に倒れるようにされている。
【００２１】
なお、平常時には捻回式スイッチは１Ｌ側に回されており、第２の２系列送電線保護リレー１０2の使用不可時には捻回式スイッチは２Ｌ側に回される。
【００２２】
（２）表示回路３０
表示回路３０は、短絡事故や地絡事故など必要最小限のものを実装し、スペースや部品点数を減らすためにオシロやＦＬ起動用は基本的に実装しないが、ＡＲＥ起動回路は必要により実装するようにされている。
【００２３】
そのため、表示回路３０は、図３に示すように、第１回線１Ｌ表示用として、並列接続された外部表示用断路端子ＵＴＴ１（通常は閉じられており、試験時に開かれる。）および試験／通常切替スイッチ４３ＴＬ１（通常は閉じられており、試験時に開かれる。）と、並列接続された各種表示用接点（短絡表示用接点３１ａ、地絡表示用接点３１ｂ、ファイナルトリップ表示用接点３１ｃ、回線名表示用接点３１ｄおよび他の表示用接点３１ｅ）とを備え、第２回線２Ｌ表示用として、並列接続された外部表示用断路端子ＵＴＴ２および試験／通常切替スイッチ４３ＴＬ２と、並列接続された各種表示用接点（短絡表示用接点３２ａ、地絡表示用接点３２ｂ、ファイナルトリップ表示用接点３２ｃ、回線名表示用接点３２ｄおよび他の表示用接点３２ｅ）とを備える。
【００２４】
また、１Ｌ側表示回路切替用接点２１D1が外部表示用断路端子ＵＴＴ１および試験／通常切替スイッチ４３ＴL１と各種表示用接点（短絡表示用接点３１ａ、地絡表示用接点３１ｂ、ファイナルトリップ表示用接点３１ｃ、回線名表示用接点３１ｄおよび他の表示用接点３１ｅ）との間に設けられているとともに、２Ｌ側表示回路切替用接点２１D2が外部表示用断路端子ＵＴＴ２および試験／通常切替スイッチ４３ＴL２と各種表示用接点（短絡表示用接点３２ａ、地絡表示用接点３２ｂ、ファイナルトリップ表示用接点３２ｃ、回線名表示用接点３２ｄおよび他の表示用接点３２ｅ）との間に設けられている。
これにより、平常時には、１Ｌ側表示回路切替用接点２１D1が閉じられるとともに２Ｌ側表示回路切替用接点２１D2が開かれるため、第１回線１Ｌ表示用が動作し、一方、第２の２系列送電線保護リレー１０2の使用不可時には１Ｌ側表示回路切替用接点２１D1が開かれるとともに２Ｌ側表示回路切替用接点２１D2が閉じられるため、第２回線２Ｌ表示用が動作するようにされている。
【００２５】
（３）トリップ回路４０
トリップ回路４０は、図４の図示左側に示すトリップ回路部と、同図の図示右側に示すシールイン回路部とを備える。
【００２６】
トリップ回路部は、第１の２系列送電線保護リレー１０1のＣＰＵからの動作指令により閉じられるトリップ用補助リレー４１と、第１回線１Ｌに設置された第１の遮断器４1（図１参照）の誤動作を防止するための第１のトリップ回路部側トリップロック端子４２1と、第１の遮断器４1の第１のトリップコイル（ＴＣ）４３1と、第２回線２Ｌに設置された第２の遮断器４2（図１参照）の誤動作を防止するための第２のトリップ回路部側トリップロック端子４２2と、第２の遮断器４2の第２のトリップコイル（ＴＣ）４３2とを備える。
ここで、トリップ用補助リレー４１と第１のトリップ回路部側トリップロック端子４２1と第１のトリップコイル４３1とは直列接続されており、第２のトリップ回路部側トリップロック端子４２2と第２のトリップコイル４３2とは直列接続されているとともに、直列接続された第１のトリップ回路部側トリップロック端子４２1および第１のトリップコイル４３1と直列接続された第２のトリップ回路部側トリップロック端子４２2および第２のトリップコイル４３2とは並列接続されている。
【００２７】
また、１Ｌ側トリップ回路切替用接点２１T1がトリップ用補助リレー４１と第１のトリップ回路部側トリップロック端子４２1との間に設けられているとともに、２Ｌ側トリップ回路切替用接点２１T2がトリップ用補助リレー４１と第２のトリップ回路部側トリップロック端子４２2との間に設けられている。
これにより、トリップ回路部は、平常時には、１Ｌ側トリップ回路切替用接点２１T1が閉じられるとともに２Ｌ側トリップ回路切替用接点２１T2が開かれるため、第１の２系列送電線保護リレー１０1のＣＰＵからの動作指令に応じて第１の遮断器４1を遮断するように動作し、一方、第２の２系列送電線保護リレー１０2の使用不可時には、１Ｌ側トリップ回路切替用接点２１T1が開かれるとともに２Ｌ側トリップ回路切替用接点２１T2が閉じられるため、第１の２系列送電線保護リレー１０1のＣＰＵからの動作指令に応じて第２の遮断器４2を遮断するように動作する。
【００２８】
シールイン回路部は、第１の２系列送電線保護リレー１０1のＣＰＵからの動作指令により動作する主リレー動作接点（ＭＴＸ）４４、フェールセーフ動作接点（ＦＤＸ）４５およびトリップ用補助リレー４６からなるシールイン部と、第１の遮断器４1のパレットスイッチの誤動作を防止するための第１のシールイン部側トリップロック端子４７1と、第１の遮断器４1のパレットを動作させる第１の遮断器パレットスイッチ４８1と、第２の遮断器４2のパレットスイッチの誤動作を防止するための第２のシールイン部側トリップロック端子４７2と、第２の遮断器４2のパレットを動作させる第２の遮断器パレットスイッチ４８2とを備える。
ここで、主リレー動作接点４４とフェールセーフ動作接点４５とは直列接続されており、直列接続された主リレー動作接点４４およびフェールセーフ動作接点４５とトリップ用補助リレー４６の直列接続された２つの接点ＴＸ１，５２ＴＸ２とは並列接続されている。また、第１のシールイン部側トリップロック端子４７1と第１の遮断器パレットスイッチ４８1とは直列接続されている、第２のシールイン部側トリップロック端子４７2と第２の遮断器パレットスイッチ４８2とは直列接続されているとともに、直列接続された第１のシールイン部側トリップロック端子４７1および第１の遮断器パレットスイッチ４８1と直列接続された第２のシールイン部側トリップロック端子４７2および第２の遮断器パレットスイッチ４８2とは並列接続されている。
【００２９】
また、１Ｌ側シールイン回路切替用接点２１S1がシールイン部と第１のシールイン部側トリップロック端子４７1との間に設けられているとともに、２Ｌ側シールイン回路切替用接点２１S2がシールイン部と第２のシールイン部側トリップロック端子４７2との間に設けられている。
これにより、シールイン回路部は、平常時には、１Ｌ側シールイン回路切替用接点２１S1が閉じられるとともに２Ｌ側シールイン回路切替用接点２１S2が開かれるため、第１の２系列送電線保護リレー１０1のＣＰＵからの動作指令に応じて第１の遮断器パレットスイッチ４８1を閉じるように動作し、一方、第２の２系列送電線保護リレー１０2の使用不可時には、１Ｌ側シールイン回路切替用接点２１S1が開かれるとともに２Ｌ側シールイン回路切替用接点２１S2が閉じられるため、第１の２系列送電線保護リレー１０1のＣＰＵからの動作指令に応じて第２のパレットスイッチ４８2を閉じるように動作する。
【００３０】
なお、１Ｌ側および２Ｌ側トリップ回路切替用接点２１T1，２１T2と１Ｌ側および２Ｌ側シールイン回路切替用接点２１S1，２１S2とは、好ましくは、捻回スイッチとロックＴ．Ｔとによる２重の回路切替となるように構成する。
【００３１】
（４）１Ｌ系電圧回路５０
第１の２系列送電線保護リレー１０1が備える１Ｌ系電圧回路５０は、図５（ａ）に示すように、第１のＡ系送電線保護リレー１０1Aが備える電圧入力変換器５１と、第１のＢ系送電線保護リレー１０1Bが備える電圧入力変換器５２および１Ｌ系切替スイッチ５３とを備える。
ここで、第１のＡ系送電線保護リレー１０1Aの電圧入力変換器５１には、第１の２系列送電線保護リレー１０1がラインスイッチ３を介して接続されている母線（第１または第２の母線１，２）の母線電圧（以下、「１Ｌ系母線電圧Ｖ1L」と称する。）が第１の計器用変圧器（不図示）を介して入力される。
また、第１のＢ系送電線保護リレー１０1Bの電圧入力変換器５２には、１Ｌ系母線電圧Ｖ1Lまたは第２のＢ系送電線保護リレー１０2Bから入力されるかつ第２の２系列送電線保護リレー１０2がラインスイッチ３を介して接続されている母線（第１または第２の母線１，２）の母線電圧（以下、「２Ｌ系母線電圧Ｖ2L」と称する。）が１Ｌ系切替スイッチ５３を介して入力される。
【００３２】
なお、１Ｌ系母線電圧Ｖ1Lは、第１の２系列送電線保護リレー１０1が接続されている母線のＲ相、Ｓ相、Ｔ相およびＮ相母線電圧（以下、「１Ｌ系Ｒ相母線電圧Ｖ1LR、１Ｌ系Ｓ相母線電圧Ｖ1LS、１Ｌ系Ｔ相母線電圧Ｖ1LTおよび１Ｌ系Ｎ相母線電圧Ｖ1LN」と称する。）からなり、２Ｌ系母線電圧Ｖ2Lは、第２の２系列送電線保護リレー１０2が接続されている母線のＲ相、Ｓ相、Ｔ相およびＮ相母線電圧（以下、「２Ｌ系Ｒ相母線電圧Ｖ2LR、２Ｌ系Ｓ相母線電圧Ｖ2LS、２Ｌ系Ｔ相母線電圧Ｖ2LTおよび２Ｌ系Ｎ相母線電圧Ｖ2LN」と称する。）からなる。
【００３３】
１Ｌ系切替スイッチ５３は電圧回路切替用キープリレー２２（図２（ａ）参照）によって切り替えられ、平常時には、図５（ａ）に示すように１Ｌ系Ｒ相、Ｓ相、Ｔ相およびＮ相母線電圧Ｖ1LR，Ｖ1LS，Ｖ1LT，Ｖ1LNが第１のＢ系送電線保護リレー１０1Bの電圧入力変換器５２に入力され、一方、第２の２系列送電線保護リレー１０2の使用不可時には、２Ｌ系Ｒ相、Ｓ相、Ｔ相およびＮ相母線電圧Ｖ2LR，Ｖ2LS，Ｖ2LT，Ｖ2LNが第１のＢ系送電線保護リレー１０1Bの電圧入力変換器５２に入力されるようにされている。
【００３４】
（５）１Ｌ系電流回路７０
第１の２系列送電線保護リレー１０1が備える１Ｌ系電流回路７０は、図６（ａ）に示すように、第１のＡ系送電線保護リレー１０1Aが備える電流入力変換器７１と、第１のＢ系送電線保護リレー１０1Bが備える電流入力変換器７２および１Ｌ系電流切替用ターミナル７３とを備える。
ここで、第１のＡ系送電線保護リレー１０1Aの電流入力変換器７１には、第１回線１Ｌを流れる電流（以下、「１Ｌ系電流Ｉ1L」と称する。）が第１の変流器５1（図１参照）を介して入力される。
また、第１のＢ系送電線保護リレー１０1Bの電流入力変換器７２には、１Ｌ系電流Ｉ1Lまたは第２のＢ系送電線保護リレー１０2Bから入力されるかつ第２回線２Ｌを流れる電流（以下、「２Ｌ系電流Ｉ2L」と称する。）が１Ｌ系電流切替用ターミナル７３を介して入力される。
【００３５】
なお、１Ｌ系電流Ｉ1Lは、第１回線１ＬのＲ相、Ｓ相、Ｔ相およびＮ相電流（以下、「１Ｌ系Ｒ相電流Ｉ1LR、１Ｌ系Ｓ相電流Ｉ1LS、１Ｌ系Ｔ相電流Ｉ1LTおよび１Ｌ系Ｎ相電流Ｉ1LN」と称する。）からなり、２Ｌ系電流Ｉ2Lは、第２回線２ＬのＲ相、Ｓ相、Ｔ相およびＮ相電流（以下、「２Ｌ系Ｒ相電流Ｉ2LR、２Ｌ系Ｓ相電流Ｉ2LS、２Ｌ系Ｔ相電流Ｉ2LTおよび２Ｌ系Ｎ相電流Ｉ2LN」と称する。）からなる。
【００３６】
１Ｌ系電流切替用ターミナル７３は、平常時には、図７（ａ）に示す８極プラグ９０を挿入することにより、１Ｌ系Ｒ相電流Ｉ1LR、１Ｌ系Ｓ相電流Ｉ1LS、１Ｌ系Ｔ相電流Ｉ1LTおよび１Ｌ系Ｎ相電流Ｉ1LNが１Ｌ系電流切替用ターミナル７３を介して第１のＢ系送電線保護リレー１０1Bが備える電流入力変換器７２に入力されるとともに、２Ｌ系Ｒ相電流Ｉ2LR、２Ｌ系Ｓ相電流Ｉ2LS、２Ｌ系Ｔ相電流Ｉ2LTおよび２Ｌ系Ｎ相電流Ｉ2LNが短絡され、一方、第２の２系列送電線保護リレー１０2の使用不可時には、８極プラグ９０を引き抜くことにより、２Ｌ系Ｒ相電流Ｉ2LR、２Ｌ系Ｓ相電流Ｉ2LS、２Ｌ系Ｔ相電流Ｉ2LTおよび２Ｌ系Ｎ相電流Ｉ2LNが１Ｌ系電流切替用ターミナル７３を介して第１のＢ系送電線保護リレー１０1Bが備える電流入力変換器７２に入力されるとともに、１Ｌ系Ｒ相電流Ｉ1LR、１Ｌ系Ｓ相電流Ｉ1LS、１Ｌ系Ｔ相電流Ｉ1LTおよび１Ｌ系Ｎ相電流Ｉ1LNが短絡されるように構成されている。
【００３７】
具体的には、１Ｌ系電流切替用ターミナル７３は、東芝製の常時プラグ挿入形の電流回路用４極テストターミナル（形式ＨＲ６−Ｃ４Ｂ）と美和電気製の電流回路用４極テストターミナル（形式ＴＳ−１１１）とを組み合わせて構成されている。
【００３８】
また、８極プラグ９０は、東芝製の常時プラグ挿入形の電流回路用４極テストターミナルに使用される４極プラグ（形式ＨＲ５−Ｃ４）と美和電気製の電流回路用４極テストターミナルに使用される４極プラグ（ＴＰ−１１１）とを一体化した構成されている。
すなわち、８極プラグ９０は、図７（ａ）に示すように、絶縁体９１と、絶縁体９１の上面に絶縁体９１の底面から先端面に向かってかつ隣接する導体と所定の間隔をもって形成された１Ｌ系Ｒ相上側導体９２RU、１Ｌ系Ｓ相上側導体９２SU、１Ｌ系Ｔ相上側導体９２TU、１Ｌ系Ｎ相上側導体９２NU、２Ｌ系Ｒ相上側導体９３RU、２Ｌ系Ｓ相上側導体９３SU、２Ｌ系Ｔ相上側導体９３TUおよび２Ｌ系Ｎ相上側導体９３NUと、絶縁体９１の下面に１Ｌ系Ｒ相上側導体９２RU、１Ｌ系Ｓ相上側導体９２SU、１Ｌ系Ｔ相上側導体９２TU、１Ｌ系Ｎ相上側導体９２NU、２Ｌ系Ｒ相上側導体９３RU、２Ｌ系Ｓ相上側導体９３SU、２Ｌ系Ｔ相上側導体９３TUおよび２Ｌ系Ｎ相上側導体９３NUとそれぞれ対向するように形成された１Ｌ系Ｒ相下側導体９２RL、１Ｌ系Ｓ相下側導体９２SL、１Ｌ系Ｔ相下側導体９２TL、１Ｌ系Ｎ相下側導体９２NL、２Ｌ系Ｒ相下側導体９３RL、２Ｌ系Ｓ相下側導体９３SL、２Ｌ系Ｔ相下側導体９３TLおよび２Ｌ系Ｎ相下側導体９３NLと、絶縁支持体９１の上面の１Ｌ系Ｎ相上側導体９２NUと２Ｌ系Ｒ相上側導体９３RUとの間に形成された凸部９４と、絶縁体９１の底面が取り付けられた絶縁支持体９５とを備える。
【００３９】
ここで、１Ｌ系Ｒ相、Ｓ相、Ｔ相およびＮ相上側導体９２RU，９２SU，９２TU，９２NU並びに１Ｌ系Ｒ相、Ｓ相、Ｔ相およびＮ相下側導体９２RL，９２SL，９２TL，９２NLの長手方向の長さは、２Ｌ系Ｒ相、Ｓ相、Ｔ相およびＮ相上側導体９３RU，９３SU，９３TU，９３NU並びに２Ｌ系Ｒ相、Ｓ相、Ｔ相およびＮ相下側導体９３RL，９３SL，９３TL，９３NLの長手方向の長さの約半分とされている。
【００４０】
また、１Ｌ系Ｒ相上側導体９２RUの先端面と１Ｌ系Ｒ相下側導体９２RLの先端面とは、図７（ｂ）に示すように、電気的に短絡されている。１Ｌ系Ｓ相上側導体９２SUと１Ｌ系Ｓ相下側導体９２SL、１Ｌ系Ｔ相上側導体９２TUと１Ｌ系Ｔ相下側導体９２TLおよび１Ｌ系Ｎ相上側導体９２NUと１Ｌ系Ｎ相下側導体９２NLについても同様である。
これとは逆に、２Ｌ系Ｒ相上側導体９３RUの先端面と３Ｌ系Ｒ相下側導体９３RLの先端面とは、図７（ｃ）に示すように、電気的に開放されている。２Ｌ系Ｓ相上側導体９３SUと２Ｌ系Ｓ相下側導体９３SL、２Ｌ系Ｔ相上側導体９３TUと２Ｌ系Ｔ相下側導体９３TLおよび２Ｌ系Ｎ相上側導体９３NUと２Ｌ系Ｎ相下側導体９３NLについても同様である。
【００４１】
凸部９４は、８極プラグ９０を１Ｌ系電流切替用ターミナル７３に上下逆さまに挿入することを防止するためのものであり、１Ｌ系電流切替用ターミナル７３のプラグ挿入口には、８極プラグ９０を１Ｌ系電流切替用ターミナル７３に挿入したときに凸部９４が挿入される凹部（不図示）が形成されている。
【００４２】
第２のＢ系送電線保護リレー１０2Bは、以下に示す点を除いて、上述した第１のＢ系送電線保護リレー１０1Bと同様に構成されている。
【００４３】
（１）第２のＢ系送電線保護リレー１０2Bが備える切替回路は、平常時は第２のＢ系送電線保護リレー１０2Bを第２のＡ系送電線保護リレー１０2Aのフェールセーフ用として動作させ、一方、第１の２系列送電線保護リレー１０1の使用不可時には第２のＢ系送電線保護リレー１０2Bを第１の２系列送電線保護リレー１０1の代わりに第１回線１Ｌの保護用として動作させるように、第２のＢ系送電線保護リレー１０2Bの動作モードを切り替る点で、図２（ａ），（ｂ）に示した切替回路２０と異なる。
【００４４】
（２）第２のＢ系送電線保護リレー１０2Bが備える表示回路は、平常時には、２Ｌ側表示回路切替用接点２１D2が閉じられるとともに１Ｌ側表示回路切替用接点２１D1が開かれるため、第２回線２Ｌ表示用が動作し、一方、第１の２系列送電線保護リレー１０1の使用不可時には、２Ｌ側表示回路切替用接点２１D2が開かれるとともに１Ｌ側表示回路切替用接点２１D1が閉じられるため、第１回線１Ｌ表示用が動作する点で、図３に示した切替回路３０と異なる。
【００４５】
（３）第２のＢ系送電線保護リレー１０2Bが備えるトリップ回路は、トリップ回路部が、平常時には、２Ｌ側トリップ回路切替用接点２１T2が閉じられるとともに１Ｌ側トリップ回路切替用接点２１T1が開かれるため、第２の２系列送電線保護リレー１０2のＣＰＵからの動作指令に応じて第２の遮断器４2を遮断するように動作し、一方、第１の２系列送電線保護リレー１０1の使用不可時には、２Ｌ側トリップ回路切替用接点２１T2が開かれるとともに１Ｌ側トリップ回路切替用接点２１T1が閉じられるため、第２の２系列送電線保護リレー１０2のＣＰＵからの動作指令に応じて第１の遮断器４1を遮断するように動作する点と、シールイン回路部が、平常時には、２Ｌ側シールイン回路切替用接点２１S2が閉じられるとともに１Ｌ側シールイン回路切替用接点２１S1が開かれるため、第２の２系列送電線保護リレー１０2のＣＰＵからの動作指令に応じて第２の遮断器パレットスイッチ４８2を閉じるように動作し、一方、第１の２系列送電線保護リレー１０1の使用不可時には、２Ｌ側シールイン回路切替用接点２１S2が開かれるとともに１Ｌ側シールイン回路切替用接点２１S1が閉じられるため、第２の２系列送電線保護リレー１０2のＣＰＵからの動作指令に応じて第１の遮断器パレットスイッチ４８1を閉じるように動作する点で、図４に示したトリップ回路４０と異なる。
【００４６】
（４）第２のＢ系送電線保護リレー１０2Bが備える２Ｌ系電圧回路６０は、図５（ｂ）に示す２Ｌ系切替スイッチ６３が電圧回路切替用キープリレー２２（図２（ａ）参照）によって切り替えられ、平常時には、図５（ｂ）に示すように２Ｌ系Ｒ相、Ｓ相、Ｔ相およびＮ相母線電圧Ｖ2LR，Ｖ2LS，Ｖ2LT，Ｖ2LNが第２のＢ系送電線保護リレー１０2Bの電圧入力変換器６２に入力され、一方、第１の２系列送電線保護リレー１０1の使用不可時には、１Ｌ系Ｒ相、Ｓ相、Ｔ相およびＮ相母線電圧Ｖ1LR，Ｖ1LS，Ｖ1LT，Ｖ1LNが第２のＢ系送電線保護リレー１０2Bの電圧入力変換器６２に入力されるようにされている点で、図５（ａ）に示した１Ｌ系電圧回路５０と異なる。
【００４７】
（５）第２のＢ系送電線保護リレー１０2Bが備える２Ｌ系電流回路８０は、図６（ｂ）に示す２Ｌ系電流切替用ターミナル８３が、平常時には、２Ｌ系Ｒ相電流Ｉ2LR、２Ｌ系Ｓ相電流Ｉ2LS、２Ｌ系Ｔ相電流Ｉ2LTおよび２Ｌ系Ｎ相電流Ｉ2LNが２Ｌ系電流切替用ターミナル８３を介して第２のＢ系送電線保護リレー１０2Bの電流入力変換器８２に入力されるとともに、１Ｌ系Ｒ相電流Ｉ1LR、１Ｌ系Ｓ相電流Ｉ1LS、１Ｌ系Ｔ相電流Ｉ1LTおよび１Ｌ系Ｎ相電流Ｉ1LNが短絡され、一方、第１の２系列送電線保護リレー１０1の使用不可時には、１Ｌ系Ｒ相電流Ｉ1LR、１Ｌ系Ｓ相電流Ｉ1LS、１Ｌ系Ｔ相電流Ｉ1LTおよび１Ｌ系Ｎ相電流Ｉ1LNが２Ｌ系電流切替用ターミナル８３を介して第２のＢ系送電線保護リレー１０2Bの電流入力変換器８２に入力されるとともに、２Ｌ系Ｒ相電流Ｉ2LR、２Ｌ系Ｓ相電流Ｉ2LS、２Ｌ系Ｔ相電流Ｉ2LTおよび２Ｌ系Ｎ相電流Ｉ2LNが短絡されるように構成されている点で、図６（ａ）に示した１Ｌ系電流回路７０と異なる。
【００４８】
以上説明したように第１のＢ系送電線保護リレー１０1Bおよび第２のＢ系列送電線保護リレー１０2Bが構成されているため、平常時には、第１のＢ系送電線保護リレー１０1Bを第１のＡ系送電線保護リレー１０1Aのフェールセーフ用として使用するとともに第２のＢ系列送電線保護リレー１０2Bを第２のＡ系送電線保護リレー１０2Aのフェールセーフ用として使用することができ、一方、ＣＰＵの故障などにより第１の２系列送電線保護リレー１０1が使用できなくなった場合には、第２のＢ系送電線保護リレー１０2Bを第１回線１Ｌの保護用として使用するとともに、ＣＰＵの故障などにより第２の２系列送電線保護リレー１０2が使用できなくなった場合には、第１のＢ系送電線保護リレー１０1Bを第２回線２Ｌの保護用として使用することができる。
【符号の説明】
【００４９】
１，２  第１および第２母線
１Ｌ，２Ｌ  第１および第２回線
３  ラインスイッチ
４1，４2  第１および第２の遮断器
５1，５2  第１および第２の変流器
１０1，１０2，１００1，１００2  第１および第２の２系列送電線保護リレー
１０1A，１０1B，１００1A，１００1B  第１のＡ系およびＢ系送電線保護リレー
１０2A，１０2B，１００2A，１００2B  第２のＡ系およびＢ系送電線保護リレー
２０  切替回路
２１T1，２１T2  １Ｌ側および２Ｌ側トリップ回路切替用接点
２１S1，２１S2  １Ｌ側および２Ｌ側シールイン回路切替用接点
２１D1，２１D2  １Ｌ側および２Ｌ側表示回路切替用接点
２１V1，２１V2  １Ｌ側および２Ｌ側電圧回路切替用接点
２２  電圧回路切替用キープリレー
３０  表示回路
ＵＴＴ１，ＵＴＴ２  外部表示用断路端子
４３ＴL１，４３ＴL２  試験／通常切替スイッチ
３１ａ，３２ａ  短絡表示用接点
３１ｂ，３２ｂ  地絡表示用接点
３１ｃ，３２ｃ  ファイナルトリップ表示用接点
３１ｄ，３２ｄ  回線名表示用接点
３１ｅ，３２ｅ  他の表示用接点
４０  トリップ回路
４１  トリップ用補助リレー
４２1，４２2  第１および第２のトリップ回路部側トリップロック端子
４３1，４３2  第１および第２のトリップコイル
４４  主リレー動作接点
４５  フェールセーフ動作接点
４６  トリップ用補助リレー
４７1，４７2  第１および第２のシールイン部側トリップロック端子
４８1，４８2  第１および第２の遮断器パレットスイッチ
５０，６０  １Ｌ系および２Ｌ系電圧回路
５１，５２，６１，６２  電圧入力変換回路
５３，６３  １Ｌ系および２Ｌ系切替スイッチ
７０，８０  １Ｌ系および２Ｌ系電流回路
７１，７２，８１，８２  電流入力変換回路
７３，８３  １Ｌ系および２Ｌ系電流切替用ターミナル
９０  ８極プラグ
９１  絶縁体
９２RU，９２SU，９２TU，９２NU  １Ｌ系Ｒ相、Ｓ相、Ｔ相およびＮ相上側導体
９２RL，９２SL，９２TL，９２NL  １Ｌ系Ｒ相、Ｓ相、Ｔ相およびＮ相下側導体
９３RU，９３SU，９３TU，９３NU  ２Ｌ系Ｒ相、Ｓ相、Ｔ相およびＮ相上側導体
９３RL，９３SL，９３TL，９３NL  ２Ｌ系Ｒ相、Ｓ相、Ｔ相およびＮ相下側導体
９４  凸部
９５  絶縁支持体
１１０A，１１０B  Ａ系およびＢ系送電線保護リレー
Ｖ1L，Ｖ2L  １Ｌ系および２Ｌ系母線電圧
Ｖ1LR，Ｖ1LS，Ｖ1LT，Ｖ1LN，Ｖ2LR，Ｖ2LS，Ｖ2LT，Ｖ2LN  １Ｌ系および２Ｌ系Ｒ相、Ｓ相、Ｔ相およびＮ相母線電圧
Ｉ1L，Ｉ2L  １Ｌ系および２Ｌ系電流
Ｉ1LR，Ｉ1LS，Ｉ1LT，Ｉ1LN，Ｉ2LR，Ｉ2LS，Ｉ2LT，Ｉ2LN  １Ｌ系および２Ｌ系Ｒ相、Ｓ相、Ｔ相およびＮ相電流
【図１】
2012257420.tif 000003
【図２】
2012257420.tif 000004
【図３】
2012257420.tif 000005
【図４】
2012257420.tif 000006
【図５】
2012257420.tif 000007
【図６】
2012257420.tif 000008
【図７】
2012257420.tif 000009
【図８】
2012257420.tif 000010